(57)【特許請求の範囲】
【請求項１】
複数の像担持体と、該複数の像担持体に対向して配置され転写材を吸着し搬送する搬送転写ベルトと、上記各像担持体上に画像を形成しその形成された画像を転写材に転写する転写手段を含む複数の画像形成部と、上記各像担持体と上記搬送転写ベルトとを単色もしくは多色画像形成モードに応じて接離させる接離手段と、上記搬送転写ベルトに転写材を吸着させる吸着手段とを具備した画像形成装置において、
上記各画像形成部への電源出力を上記吸着手段へ切り替えて出力可能とする切り替え手段を有し、上記各画像形成モードにおける上記搬送転写ベルトの接離状態に応じて、動作していない上記画像形成部への電源出力を上記切り替え手段により上記吸着手段へ切り替え供給することを特徴とする画像形成装置。
【請求項２】
請求項１記載の画像形成装置において、
上記各画像形成モードに応じて、動作していない上記画像形成部の上記転写手段への電源出力を上記切り替え手段により上記吸着手段へ切り替え供給することを特徴とする画像形成装置。
【請求項３】
請求項１または２記載の画像形成装置において、
上記各像担持体が鉛直方向に配置されていることを特徴とする画像形成装置。
【発明の詳細な説明】
【０００１】
【発明の属する技術分野】
本発明は、複写機、ファクシミリ、プリンター等の画像形成装置に関し、さらに詳しくは電子写真方式により複数の像担持体を用いてフルカラー画像を形成する画像形成装置に関する。
【０００２】
【従来の技術】
イエロー（Ｙ）、マゼンタ（Ｍ）、シアン（Ｃ）、ブラック（Ｂｋ）の各色毎に感光体を持ち、それらの感光体に形成された各色のトナー像を転写紙に順次転写することによりフルカラー画像を形成するタンデム方式の画像形成装置が種々知られている。この方式の画像形成装置では、フルカラー画像出力時に色ずれによる画像品質の低下を防止するために、転写紙を搬送転写ベルトにしっかり固定し、両者がずれないようにする必要がある。このため一色目の転写部より転写材搬送方向上流に吸着手段を設けて転写紙を搬送転写ベルトに確実に吸着し固定する技術は、特開平８−１９４３５１号や特開平８−３２８３９５号公報などで多数提案されている。図４には、一例として４連水平タンデム方式の画像形成装置２００が示されている。画像形成装置２００の構成部品において、後述する図１および図２に示した第１の実施形態を示す画像形成装置２０のそれと同じ部分には同一の符号を、略同じ部分には符号の末尾に「’」をそれぞれ付すことで、重複説明を避けるためその詳細説明を省略する。
【０００３】
一方、タンデム方式の画像形成装置において白黒画像を出力する場合に、フルカラー画像を出力する場合と同じ動作を行なったのでは、白黒画像では使用する必要のないカラー用の現像剤や感光体の劣化を早めてしまうため、ランニングコストが上昇し経済的ではない。
【０００４】
このような問題を解決するために、特開平８−１９４３５１号公報記載の技術では、白黒画像出力時にはブラック（Ｂｋ）以外の現像装置を停止させる方式が示されている。この方式によれば、現像器での撹拌によるカラー現像剤の劣化を防止することができる。
【０００５】
特開平５−３４１６１７号公報記載の技術では、白黒画像出力専用のバイパス搬送路を設ける方式が示されている。この方式によれば、カラー画像形成部を劣化させることなく白黒画像出力が可能である。
【０００６】
特開平８−３２８３９５号公報記載の技術では、水平方向に配置されたタンデム方式の画像形成装置において、白黒画像出力時には搬送転写ベルト（転写搬送転写ベルト）をブラック（Ｂｋ）以外の感光体から離間させる方式が示されている。上記したような搬送転写ベルトの接離機構を備えたタンデム方式の画像形成装置において、白黒画像形成時にはレジストローラからブラック（Ｂｋ）転写部までの搬送距離が長いため、転写紙を確実に搬送するため吸着装置が必要であるが、フルカラー画像形成時には一色目の転写部と吸着装置との距離が近いため、白黒画像形成時と同様の吸着動作を行なったのでは吸着装置から与えられた電荷が、一色目の転写に悪影響を及ぼすし、フルカラー画像の品質を損なう場合がある。そこで、フルカラー画像出力時には吸着部材を搬送転写ベルトから離間させる方式が示されている。
【０００７】
【発明が解決しようとする課題】
しかしながら、上記した各技術には以下に述べる問題点がある。すなわち、特開平８−１９４３５１号公報記載の技術では、感光体は動作しているため、転写紙や接触帯電装置などとの摺擦による摩耗や静電疲労による感光体の劣化を防止することはできない。
【０００８】
特開平５−３４１６１７号公報記載の技術では、装置が複雑化する上に、フルカラー画像出力を行なう場合にブラック（Ｂｋ）の画像をイエロー（Ｙ）、シアン（Ｃ）、マゼンタ（Ｍ）の各画像に転写紙上で精度良く位置を合わせることが難しい。
【０００９】
特開平８−３２８３９５号公報記載の技術のように、フルカラー画像出力時に吸着部材を搬送転写ベルトから離間させると、機構が複雑になるばかりか、感光体を水平方向に配置したタンデム方式の画像形成装置では転写紙に働く重力が転写紙を搬送転写ベルトに近付ける方向に働くのに対し、感光体を水平方向に対して垂直方向である鉛直方向に配置したタンデム方式の画像形成装置ではこのような作用がないため、吸着部材を離間させてしまうと転写紙の先端の挙動が不安定になり、紙詰まりなどの問題を発生しやすい。
【００１０】
また、吸着装置専用の電源を用意することはコストアップにもつながる。
本発明は、上述した状況を踏まえそれらの諸問題点を解消するためになされたものであって、吸着装置を備えたフルカラー画像形成装置において、感光体を鉛直方向に配置した場合でも、フルカラー画像の品質を損なうことなく、安定して転写紙を搬送することのできる画像形成装置を提供することを目的とする。請求項毎の特有の目的を挙げれば次のとおりである。
【００１２】
請求項１記載の発明の目的は、各画像形成部への電源出力を吸着装置の吸着部材へ切り替えて出力可能とする切り替え手段を有することにより、白黒画像形成モード時において、ブラック（Ｂｋ）以外の動作していない各画像形成部（帯電装置、現像装置、あるいは転写装置の何れか）への電源出力を吸着部材へのそれと共用することによってコストダウンを図れる画像形成装置を提供することにある。
【００１３】
請求項２記載の発明の目的は、吸着装置の電源を転写装置のそれと共通とし、吸着装置を転写ユニットと一体とすることで、メンテナンスやジャム処理を行なう際にユニット脱着などの作業をしても電極の導通不良等の不具合の発生を未然に防ぐことできる画像形成装置を提供することにある。
【００１４】
請求項３記載の発明の目的は、請求項１または２記載の発明の目的に加えて、複数の感光体を鉛直方向に配置することにより、水平方向に配置する場合に比べ設置面積を少なくすることのできる画像形成装置を提供することにある。
【００１５】
【課題を解決するための手段】
本発明は、上述の目的を達成するために、請求項１記載の発明は、複数の像担持体と、該複数の像担持体に対向して配置され転写材を吸着し搬送する搬送転写ベルトと、上記各像担持体上に画像を形成しその形成された画像を転写材に転写する転写手段を含む複数の画像形成部と、上記各像担持体と上記搬送転写ベルトとを単色もしくは多色画像形成モードに応じて接離させる接離手段と、上記搬送転写ベルトに転写材を吸着させる吸着手段とを具備した画像形成装置において、上記各画像形成部への電源出力を上記吸着手段へ切り替えて出力可能とする切り替え手段を有し、上記各画像形成モードにおける上記搬送転写ベルトの接離状態に応じて、動作していない上記画像形成部への電源出力を上記切り替え手段により上記吸着手段へ切り替え供給することを特徴とする。
【００１９】
切り替え手段の具体例としては、固定接点と可動接片とを有するスイッチや電磁リレーあるいは半導体スイッチング素子等を挙げることができる。それらの切り替え手段により、多色画像形成モードとしてのフルカラー画像形成モード（以下、単に「フルカラーモード」という）時では吸着部材を接地し、単色の画像形成モードとしての白黒画像形成モード（以下、単に「白黒モード」という）時では切り替え手段により動作していないブラック（Ｂｋ）以外の画像形成部（帯電装置、現像装置、あるいは転写装置の何れか一つ）への電源出力電流（または電圧）を吸着部材へ供給出力するように切り替える。これにより、吸着装置専用の電源は不要になりコストダウンにつながる。
【００２０】
請求項２記載の発明は、請求項１記載の画像形成装置において、請求項１記載の画像形成装置において、上記各画像形成モードに応じて、動作していない上記画像形成部の上記転写手段への電源出力を上記切り替え手段により上記吸着手段へ切り替え供給することを特徴とする。
【００２１】
請求項２記載の発明では、切り替え手段によりフルカラーモード時では吸着手段を接地し、白黒モード時では切り替え手段により動作していないブラック（Ｂｋ）以外の画像形成部の転写装置への電源出力電流（または電圧）を吸着手段へ供給出力するように切り替える。
【００２２】
吸着装置の電源を帯電装置や現像装置と共通とした場合は、ユニット交換などのメンテナンス時やジャム処理時に電極の導通不良等が発生するおそれがあるが、吸着装置の電源を転写装置のそれと共通とし、吸着装置を転写ユニットと一体の構成とすることで、上記した電極の導通不良等の不具合を未然に防ぐことができる。
【００２３】
請求項３記載の発明は、請求項１または２記載の画像形成装置において、上記各像担持体が鉛直方向に配置されていることを特徴とする。このように複数の像担持体としての感光体を鉛直方向に並んで配置することにより、感光体を水平方向に並んで配置する場合に比べ設置面積を少なくすることが可能となる。また、吸着手段（吸着部材）が搬送ガイド部材の役目も果たすことにより、フルカラーモードで搬送転写ベルトの吸着力がそれ程強くなくても、転写材の先端が搬送転写ベルトから大きく離れてジャム等の不具合を発生するようなことはない。
【００２４】
【発明の実施の形態】
以下、図を参照して実施例を含む本発明の実施の形態（以下、単に「実施形態」という）を説明する。各実施形態および従来の技術例等に亘り、同一の機能および形状等を有する構成部品等については、同一符号を付すことによりその説明をできるだけ省略する。図において一対で構成されていて特別に区別して説明する必要がない構成部品は、説明の簡明化を図る上から、その片方を適宜記載することでその説明に代えるものとする。
【００２５】
以下、参考例としての第１の実施形態について説明する。
図１は、第１の実施形態における画像形成装置の概略的な全体構成とフルカラー画像形成時の動作を示している。このフルカラー画像出力を行なうフルカラーモード時においては、後述する接離手段によって、全ての感光体１Ｙ、１Ｍ、１Ｃ、１Ｂｋと搬送転写ベルト１２とが接触している状態にある。
【００２６】
図１において、符号２０は第１の実施形態における画像形成装置を、符号１９は画像形成装置２０の装置本体をそれぞれ示す。画像形成装置２０の装置本体１９内には、像担持体としての４個の感光体１Ｙ、１Ｍ、１Ｃ、１Ｂｋが鉛直方向に図において下から上へとこの順に並んで配設されている。各感光体１Ｙ、１Ｍ、１Ｃ、１Ｂｋには、イエロー（Ｙ）、シアン（Ｃ）、マゼンタ（Ｍ）、ブラック（Ｂｋ）の４色の画像を形成するための画像形成部７Ｙ、７Ｍ、７Ｃ、７Ｂｋが配置されている。これらの画像形成部７Ｙ、７Ｍ、７Ｃ、７Ｂｋによりフルカラー画像を形成する。各画像形成部７Ｙ、７Ｍ、７Ｃ、７Ｂｋは、それぞれ同じ構成および動作を行なうようになっているため、最下位に配置されたイエロー（Ｙ）の画像形成部７Ｙについてのみ説明し、他の画像形成部７Ｍ、７Ｃ、７Ｂｋについては同じ部分に同一のアラビア数字を付すと共にその色を表す英字を添えることで説明を省略する。
【００２７】
画像形成部７Ｙは、ドラム状の感光体１Ｙと、この感光体１Ｙの周りに対応して配設されイエロー（Ｙ）画像を繰り返し形成するための帯電装置２Ｙ、露光装置３Ｙ、現像装置５Ｙおよびクリーニング装置６Ｙ等から構成されている。
【００２８】
感光体１Ｙは、図１において反時計回り方向に回転自在に配設されている。露光装置３Ｙは、画像信号に応じてレーザ光を生成照射する図示しないレーザダイオード（ＬＤ）、このＬＤから照射されたレーザ光を走査するポリゴンミラー４Ｙ等からなるレーザ光走査光学系を有している。
【００２９】
各画像形成部７Ｙ、７Ｍ、７Ｃ、７Ｂｋの感光体１Ｙ、１Ｍ、１Ｃ、１Ｂｋの配設位置の図１において右方には、転写材の一例としての転写紙２１を吸着し搬送する搬送転写ベルト１２が対向して張設されている。搬送転写ベルト１２は、ベルト駆動ローラ１８と従動ローラ１７との間に掛け渡されて時計回り方向に走行搬送するようになっている。
【００３０】
各感光体１Ｙ、１Ｍ、１Ｃ、１Ｂｋに対向する図１において右方には、搬送転写ベルト１２を挟んで転写手段としての転写装置１１Ｙ、１１Ｍ、１１Ｃ、１１Ｂｋが配設されている。各転写装置１１Ｙ、１１Ｍ、１１Ｃ、１１Ｂｋは、各感光体１Ｙ、１Ｍ、１Ｃ、１Ｂｋ上に形成された各色のトナー像を搬送転写ベルト１２により搬送される転写紙２１上に転写する周知の機能を有する。転写紙２１は、装置本体１９の下部に配設された給紙部２３により、所定のタイミングをとって搬送転写ベルト１２上に送り出される。
【００３１】
給紙部２３は、転写紙２１を積載収納する給紙カセット８と、この給紙カセット８の上方に配設され最上位の転写紙２１を１枚ずつ給送する転写材供給コロ２２と、この転写材供給コロ２２により給送された転写紙２１を所定のタイミングで送り出すレジストローラ対９とから主に構成されている。
【００３２】
レジストローラ対９と転写装置１１Ｙとの間の転写材搬送路上には、搬送転写ベルト１２に転写紙２１を静電的に吸着させる吸着手段としての吸着装置１０が配設されている。吸着装置１０は、搬送転写ベルト１２を挟んで配設された吸着部材としての一対の吸着ローラを具備している。
【００３３】
転写材搬送路の下流側である図１において装置本体１９の上部には、搬送転写ベルト１２上から転写紙２１を分離するための分離装置１３が搬送転写ベルト１２を介してベルト駆動ローラ１８に対向して設けられている。分離装置１３の上方には転写紙２１に転写された各色のトナー像を溶融加圧定着する定着装置１４が、さらに定着装置１４の上方には排紙ローラ対１５が、この排紙ローラ対１５の左下部にはトナー画像の形成された転写紙２１を排出するための排紙トレイ１６がそれぞれ配設されている。
【００３４】
搬送転写ベルト１２は、図示を省略した接離手段により、フルカラーモードに対応して全ての感光体１Ｙ、１Ｍ、１Ｃ、１Ｂｋと接触する接触位置と、白黒モードに対応して感光体１Ｂｋとのみ接触し他の感光体１Ｙ、１Ｍ、１Ｃからは離間する離間位置との間で変位自在に構成されている。搬送転写ベルト１２は、上記接離手段により、感光体１Ｂｋの中心を支点として従動ローラ１７側が図２に示すように右側に揺動変位して離間位置を占めるようになされている。それ故に、上記接離手段は、白黒モードもしくはフルカラーモードに応じて、各感光体１Ｙ、１Ｍ、１Ｃ、１Ｂｋと搬送転写ベルト１２とを接離させる構成および機能を有する。上記接離手段の具体例としては、例えば特開平８−３２８３９５号公報の図３に示されている離間機構３３等を用いてもよく、また、カム、付勢手段としてのバネおよび上記カムを駆動するモータ等の組合わせからなる接離機構等であってもよい。
【００３５】
次に、図１を参照してフルカラー画像形成時の動作を説明する。
図示しない操作パネルのキー操作等によりフルカラー画像形成の信号が送信されると、イエロー（Ｙ）、シアン（Ｃ）、マゼンタ（Ｍ）、ブラック（Ｂｋ）の各画像形成部７Ｙ、７Ｍ、７Ｃ、７Ｂｋが所定のタイミングでそれぞれ作動して、各感光体１Ｙ、１Ｍ、１Ｃ、１Ｂｋ上に各色のトナー像が形成される。これを画像形成部７Ｙで例示すると、感光体１Ｙが図１中反時計回り方向に回転すると共に、その外表面が帯電装置２Ｙにより均一に帯電され、次いで露光装置３ＹのＬＤから画像信号に応じてレーザ光が照射され、ポリゴンミラー４Ｙにより走査されつつ感光体１Ｙ上に結像されて、静電潜像が形成される。そして、静電潜像が形成された感光体１Ｙが現像装置５Ｙに対向することにより、トナーが供給されて現像され、感光体１Ｙ上にイエロー（Ｙ）のトナー像が形成される。
【００３６】
他色の画像形成部７Ｍ、７Ｃ、７Ｂｋでも、画像形成部７Ｙと同様にしてトナー像が形成される。
【００３７】
一方、給紙カセット８にセットされた転写紙２１は、転写材供給コロ２２により取り出され、転写材搬送路に沿ってレジストローラ対９に送られた後、レジストローラ対９により転写紙２１の先端が感光体１Ｙ上に形成された一色目のイエロー（Ｙ）のトナー像にタイミングを合わせて搬送転写ベルト１２上に送り出される。
【００３８】
このとき、吸着装置１０の出力電流は、白黒モード時での後述する設定値の１／３以下に設定、あるいは吸着部材としての吸着ローラを接地することで吸着装置１０の電荷によって、一色目の転写部における転写に悪影響を及ぼすことがないようになされている。また、吸着部材としての一対の吸着ローラが搬送ガイド部材の役目も果たすことにより、感光体１Ｙおよびその転写部を鉛直方向に配置したことで搬送転写ベルト１２に対して転写紙２１への静電的な吸着が十分でなくても、転写紙２１はジャム等の不具合を発生することなく感光体１Ｙの転写部に送られる。
【００３９】
一色目のイエロー（Ｙ）のトナー像転写位置において、転写装置１１Ｙにより形成される周知の電界の作用で、イエロー（Ｙ）のトナー像が転写紙２１に転写され、その転写が行なわれると同時に、転写紙２１は搬送転写ベルト１２に静電吸着されて搬送される。このようにしてイエロー（Ｙ）のトナー像が転写された転写紙２１は、各色毎に順に設けられた転写装置１１Ｍ、１１Ｃ、１１Ｂｋと各感光体１Ｍ、１Ｃ、１Ｂｋとの間の転写位置に順次搬送され、各感光体１Ｍ、１Ｃ、１Ｂｋ上に形成されたシアン（Ｃ）のトナー像、マゼンタ（Ｍ）のトナー像、ブラック（Ｂｋ）のトナー像が転写紙２１上に順次転写される。こうして全ての色のトナー像が転写紙２１上に転写されることでフルカラーのトナー像が転写紙２１上に形成される。
【００４０】
フルカラーのトナー像が形成された転写紙２１は、分離装置１３により搬送転写ベルト１２から分離された後、定着装置１４へ送り込まれ、定着装置１４によりフルカラーのトナー像が溶融加圧定着されてフルカラー画像が完成し、排紙ローラ対１５を介して排紙トレイ１６上に排出される。
【００４１】
一方、転写紙２１が分離された搬送転写ベルト１２は、そのまま回転駆動され、図示しないベルトクリーニング装置により残留トナーや紙粉がクリーニングされる。また、各トナー像が転写された後の各感光体１Ｙ、１Ｍ、１Ｃ、１Ｂｋは、そのまま回転駆動され、各クリーニング装置６Ｙ、６Ｍ、６Ｃ、６Ｂｋによって残留トナーや紙粉がクリーニングされる。
【００４２】
図２は、第１の実施形態における白黒画像形成時の動作を示している。この白黒画像出力を行なう白黒モード時においては、上記した接離手段によって、搬送転写ベルト１２はブラック（Ｂｋ）以外の感光体１Ｂｋから離間していて離間位置を占めている状態にある。
【００４３】
図示しない操作パネルのキー操作等により白黒画像形成の信号が送信されると、搬送転写ベルト１２が離間位置を占めると共に、上述した画像形成部７Ｙで例示したと同様の動作で、ブラック（Ｂｋ）の画像形成部７Ｂｋのみが所定のタイミングで作動して、感光体１Ｂｋ上にブラック（Ｂｋ）のトナー像が形成される。
【００４４】
一方、給紙カセット８にセットされた転写紙２１は、転写材供給コロ２２により取り出され、転写材搬送路に沿ってレジストローラ対９に送られた後、転写紙２１の先端が感光体１Ｂｋ上に形成されたブラック（Ｂｋ）のトナー像にタイミングを合わせて搬送転写ベルト１２上に送り出される。
【００４５】
このとき、吸着装置１０の出力電流を、５〜１０μＡに設定することで、転写紙２１が搬送転写ベルト１２上にしっかりと静電吸着されるので、感光体１Ｂｋを鉛直方向に配置した状態で、搬送転写ベルト１２がブラック（Ｂｋ）の感光体１Ｂｋ以外から離間しても、転写紙２１はジャム等の不具合を発生することなく感光体１Ｂｋの転写部まで確実に搬送される。
【００４６】
次いで、転写装置１１Ｂｋにより形成される周知の電界の作用で、ブラック（Ｂｋ）のトナー像が転写紙２１に転写される。ブラック（Ｂｋ）のトナー像が転写された転写紙２１は、分離装置１３により搬送転写ベルト１２から分離された後、定着装置１４へ送り込まれ、定着装置１４によりブラック（Ｂｋ）のトナー像が溶融加圧定着されて白黒画像（モノクロ画像）が完成し、排紙ローラ対１５を介して排紙トレイ１６上に排出される。
【００４７】
一方、転写紙２１が分離された搬送転写ベルト１２は図１を参照して説明したと同様にクリーニング等が行なわれると共に、感光体１Ｂｋはそのまま回転駆動され、クリーニング装置６Ｂｋにより残留トナーや紙粉がクリーニングされる。
【００４８】
図３（ａ），（ｂ）を参照して本発明の第２の実施形態について説明する。
図３（ａ），（ｂ）は、請求項３記載の発明に係るバイアス切り替えを行なう回路図を示しており、図３（ａ）はフルカラー画像形成時の状態を表しており、説明の簡単化のためにイエロー（Ｙ）用の転写装置１１Ｙおよび電源２６Ｙのみについて例示している。転写装置１１Ｙ用の電源２６Ｙは、固定接点３０ａおよび３０ｂとの間に配設された可動接片３１により転写装置１１Ｙの転写部に接続され、電源２６Ｙからの出力電流は転写装置１１Ｙに供給出力される。一方、吸着装置１０の吸着部材は、固定接点２９ａおよび２９ｂとの間に配設された可動接片２９により接地２７されている。符号３２は画像形成部７Ｙへの電源出力を吸着装置１０へ切り替えて出力可能とする切り替え手段を示し、固定接点２９ａ、２９ｂおよび可動接片２９と、固定接点３０ａ、３０ｂおよび可動接片３１とから構成される。
【００４９】
図３（ｂ）は白黒画像出力時の状態を表していて、図示しない制御装置のＣＰＵ（中央処理装置）からの指令により、転写装置１１Ｙ用の電源２６Ｙは、可動接片３１が固定接点３０ａから固定接点２８ａに切り替えられることで吸着装置１０の吸着部材に接続され、電源２６Ｙからの出力電流は吸着装置１０Ｙに供給出力される。一方、上記ＣＰＵからの指令により、転写装置１１Ｙは、可動接片２９が固定接点２８ａから固定接点３０ａへと切り替えられることで接地２７されている。
【００５０】
このように、切り替え手段３２によりフルカラーモード時では吸着装置１０を接地２７し、白黒モード時では切り替え手段３２により動作していないブラック（Ｂｋ）以外の画像形成部７Ｙ、７Ｍ、７Ｃの転写装置１１Ｙ、１１Ｍ、１１Ｃの電源出力（電流または電圧）の何れか一つを吸着装置１０へ供給出力するように切り替える。
【００５１】
なお、請求項２記載の発明に係る実施形態では、電源は転写装置１１Ｙ、１１Ｍ、１１Ｃだけでなく、ブラック（Ｂｋ）以外の動作していない画像形成部７Ｙ、７Ｍ、７Ｃの帯電装置２Ｙ、２Ｍ、２Ｃや現像装置５Ｙ、５Ｍ、５Ｃの電源出力を吸着装置１０に切り替えてもよい。
【００５２】
以上述べたとおり、本発明を実施例を含む特定の実施形態について説明したが、本発明の構成は、上述した実施形態に限定されるものではなく、これらを適宜組合わせて構成してもよく、本発明の範囲内において、その必要性および目的・用途等に応じて種々の実施形態や実施例を構成し得ることは当業者ならば明らかである。
【００５３】
【発明の効果】
以上述べたように、本発明によれば、上述した従来の問題点を解消することができ、吸着手段としての吸着装置を備えたフルカラー画像形成装置において、像担持体としての複数の感光体を鉛直方向に配置した場合でも、フルカラー画像の品質を損なうことなく、安定して転写材としての転写紙を搬送することのできる画像形成装置を提供することができる。請求項毎の特有の効果を挙げれば次のとおりである。
【００５５】
請求項１記載の発明によれば、各画像形成部への電源出力を吸着手段（吸着装置の吸着部材）へ切り替えて出力可能とする切り替え手段を有することにより、単色の画像形成モード（白黒画像形成モード）時において、ブラック（Ｂｋ）以外の動作していない各画像形成部（帯電装置、現像装置、あるいは転写手段としての転写装置の何れか）への電源出力を吸着手段へのそれと共用することによってコストダウンが図れる。
【００５６】
請求項２記載の発明によれば、吸着手段の電源を転写手段のそれと共通とし、吸着手段を転写ユニットと一体の構成とすることで、メンテナンスやジャム処理を行なう際にユニットの脱着などの作業をしても電極の導通不良等の不具合の発生を未然に防ぐことができる。
【００５７】
請求項３記載の発明によれば、上記各発明の効果に加えて、複数の像担持体を鉛直方向に配置することにより、水平方向に配置する場合に比べ設置面積が少なくてすむ。
【図面の簡単な説明】
【図１】第１の実施形態におけるフルカラー画像形成時の概略的な構成図である。
【図２】第１の実施形態における白黒画像形成時の概略的な構成図である。
【図３】本発明の第２の実施形態におけるバイアス切り替えを説明する図であって、図３（ａ）はフルカラー画像形成時の状態を、図３（ｂ）は白黒画像出力時の状態をそれぞれ表す回路図である。
【図４】従来の水平４連タンデムフルカラー画像形成装置の概略的な構成図である。
【符号の説明】
１Ｙ、１Ｍ、１Ｃ、１Ｂｋ    像担持体としての感光体
７Ｙ、７Ｍ、７Ｃ、７Ｂｋ    画像形成部
１０                        吸着手段としての吸着装置
１２                        搬送転写ベルト
１１Ｙ、１１Ｍ、１１Ｃ、１１Ｂｋ    転写手段としての転写装置
２０                        画像形成装置
２６Ｙ                      電源
２７                        接地
３２                        切り替え手段
【図１】
0003628491.tif 000002
【図２】
0003628491.tif 000003
【図３】
0003628491.tif 000004
【図４】
0003628491.tif 000005